(57)【要約】      （修正有）【課題】一緒に１つのバッグに詰められた複数ある個々の三次元的装飾ステッカーが、ディスプレーラックやレールに掛けられるとき、特定の観点と立体的視覚効果を生じさせ、消費者が引きつけられ、ステッカーの購買意欲を刺激する、袋詰めされた三次元的装飾ステッカーのセットを提供する。【解決手段】受け入れ空間が形成されかつディスプレーラックまたはレールに掛けるように構成され、上端部２１がシールされ下端部２２が開放された詰めバッグ２０と、前記詰めバッグ２０内の設置に適し、前面部が接着面の繰り返し着脱可能な基板３０と、一緒に所定の画像をつくり、基板３０に沿って詰めバッグ２０内に位置されるように、基板３０の前面部に対し、予め背面側に適用された接着剤が着脱可能とされた複数の個々の三次元的装飾ステッカー９０とを有する。【選択図】図２
0003103447.tif 000002
【実用新案登録請求の範囲】
【請求項１】
受け入れ空間が形成されかつディスプレーラックまたはレールに掛けるように構成され、上端部がシールされ下端部が開放された詰めバッグと、
前記下端部から下方へ伸延され、当該下端部の開口部を閉じるように上方へ折畳まれ、該開口部を開放するように再び下方へ回動可能とされた、接着剤が設けられたフラップと、
前記詰めバッグ内に設置可能な大きさを有し、前面部が接着面の繰り返し着脱可能な基板と、
一緒になって特定の画像を生じさせるように個々独立に作られた三次元的装飾ステッカーと、を有し、
前記各三次元的装飾ステッカーは、前記基板に沿って前記詰めバッグから除去されあるいは前記詰めバッグ内に位置されるように、前記基板の前面部に対し、予め接着剤が設けられた背面側で着脱可能とされている袋詰めされた三次元的装飾ステッカーセット。
【請求項２】
前記基板は、不透明な薄いシートからなる請求項１に記載の袋詰めされた三次元的装飾ステッカーセット。
【請求項３】
前記基板は、透明な薄いシートからなる請求項１に記載の袋詰めされた三次元的装飾ステッカーセット。
【請求項４】
前記基板は、前記三次元的装飾ステッカーを使用することについての情報を示し、かつ前記基板の大きさに近いサイズを有する不透明な紙シートが背面にラミネートされている請求項１に記載の袋詰めされた三次元的装飾ステッカーセット。
【請求項５】
前記三次元的装飾ステッカーは、異なる要素部分をオーバーラップすることにより形成される請求項１に記載の袋詰めされた三次元的装飾ステッカーセット。
【請求項６】
前記三次元的装飾ステッカーは、所定の幅を有する複数の長い紙またはプラスチック帯をカールさせることにより形成される請求項１に記載の袋詰めされた三次元的装飾ステッカーセット。
【請求項７】
前記三次元的装飾ステッカーは、複数の連続的に連結されおよび／または積み重ねられたビーズにより形成される請求項１に記載の袋詰めされた三次元的装飾ステッカーセット。
【請求項８】
前記特定の画像は、花を包含する装飾ステッカーによりつくられた請求項１に記載の袋詰めされた三次元的装飾ステッカーセット。
【請求項９】
前記特定の画像は、女性の個人のアイテムを包含する装飾ステッカーによりつくられた請求項１に記載の袋詰めされた三次元的装飾ステッカーセット。
【請求項１０】
前記特定の画像は、おとぎ話に関するものを包含する装飾ステッカーによりつくられた請求項１に記載の袋詰めされた三次元的装飾ステッカーセット。
【請求項１１】
前記おとぎ話に関するものは、人形コスチューム、かわいい動物を包含する装飾ステッカーである請求項１０に記載の袋詰めされた三次元的装飾ステッカーセット。
【請求項１２】
受け入れ空間が形成されかつディスプレーラックまたはレールに掛けるように構成され、上端部がシールされ下端部が開放された詰めバッグと、
前記下端部から下方へ伸延され、当該下端部の開口部を閉じるように上方へ折畳まれ、該開口部を開放するように再び下方へ回動可能とされた、接着剤が設けられたフラップと、
前記詰めバッグ内に設置可能な大きさを有し、前面部が接着面の繰り返し着脱可能な基板と、
所定のおとぎ話の画像を作るコスチュームと動物を示すように個々独立に作られた三次元的装飾ステッカーと、を有し、
前記各三次元的装飾ステッカーは、前記基板に沿って前記詰めバッグ内に位置されるように、前記基板の前面部に対し、予め接着剤が設けられた背面側を適用している袋詰めされた三次元的装飾ステッカーセット。
【請求項１３】
前記基板は、不透明な薄いシートからなる請求項１２に記載の袋詰めされた三次元的装飾ステッカーセット。
【請求項１４】
前記基板は、前記三次元的装飾ステッカーを使用することについての情報を示す不透明な紙シートが背面にラミネートされている請求項１２に記載の袋詰めされた三次元的装飾ステッカーセット。
【請求項１５】
前記三次元的装飾ステッカーは、異なる要素部分をオーバーラップすることにより形成される請求項１２に記載の袋詰めされた三次元的装飾ステッカーセット。
【請求項１６】
前記三次元的装飾ステッカーは、所定の幅を有する複数の長い紙またはプラスチック帯をカールさせることにより形成される請求項１２に記載の袋詰めされた三次元的装飾ステッカーセット。
【請求項１７】
前記三次元的装飾ステッカーは、複数の連続的に連結されおよび／または積み重ねられたビーズにより形成された請求項１２に記載の袋詰めされた三次元的装飾ステッカーセット。
【考案の詳細な説明】
【技術分野】
【０００１】
本考案は、袋詰めされた三次元的装飾ステッカーセット、より詳しくは、ディスプレイされると立体的視覚効果を生じさせる１つの詰めバッグに収納された一組の相関関係を持った三次元装飾的ステッカーに関する。三次元的装飾ステッカーのいずれかは、消費者の豊かな判断で何らかの製品または部位に自主的に取り付けられる。
【背景技術】
【０００２】
初期の段階で開発された糊付きステッカーは、主として、ステッカーの表面にプリントされた単純で平らな模様を有しているのみである。このような従来のステッカーは、装飾的効果を生じさせるように、ステッカーに印刷した模様に基づき、例えば、本、カード、プレゼントのタグ、壁、折戸などに取り付けられる。
【０００３】
図９は、従来のステッカーの構造を示している。通常、薄いプラスチックシートで作られかつ所定のサイズを有する基板１０は、その上に複数の平らな模様１１が個々に設けられている。各平らな模様１１には、容易に基板１０から切り離すことができように、外部境界に沿って切断線１２が設けられ、背面側の接着剤で装飾すべき表面に取り付けることができるようになっている。
【０００４】
従来の糊付きステッカーの大部分は、平らな容器や図または面白い模様だけを示しており、このため、比較的単調な装飾的効果を提供しているに過ぎない。また、これら平らなステッカーは、店では通常相互に積み重なった状態で販売され、一般顧客には関心をそそらないものとなる虞がある。
【０００５】
米国特許第６，４７５，５８７Ｂ１号には、糊付きで装飾的なものが開示されている。これは、支持解除層や、柔らかな裏当て層や、当該柔らかな裏当て層の一面に設けられ、使用前に前記支持解除層によってカバーされる接着剤層や、前記柔らかな裏当て層の表面に設けられかつ装飾者によりプリントされた装飾層を有している。装飾層は、２つの翼を有し、その境界に沿って切断線が設けられ、この切断線は支持解除層以外の装飾層と柔らかな裏当て層を貫通している。筋状の接着剤が、装飾層を柔らかな裏当て層に付着させるために、装飾層の２つの翼間の領域に設けられ、装飾層の２つの翼が移動自在にかつ筋状接着剤に沿って折畳むことを可能にしている。
【０００６】
支持解除層が剥がされ接着剤層が露出すると、前記装飾層は装飾される製品に接着できる。装飾層の２つの翼は、三次元ステッカーを形成するように筋状接着剤に沿って直立位置に折畳まれる。このようなステッカーは、第１に、消費者にとって所望の品物または表面に装飾層を付着し、それから２つの翼を折りたたむことは、不便である。さらに、装飾層の２つの翼を直立位置に折畳む前では、糊付き装飾的なデバイスが平らなステッカーに近づいている。すなわち、米国特許第６，４７５，５８７Ｂ１号に開示された糊付き装飾的なデバイスは、店で売るために展示されるとき、実際は平らで二次元的製品となっており、消費者にとって魅力的でない。
【考案の開示】
【考案が解決しようとする課題】
【０００７】
本考案の第一の目的は、一緒に１つのバッグに袋詰めされた複数ある個々独立の三次元的装飾ステッカーが、ディスプレーラックやレールに掛けられるとき、特定の画像と立体的視覚効果を生じさせ、消費者を引きつけ、ステッカーの購買意欲を刺激する、袋詰めされた三次元的装飾ステッカーのセットを提供することにある。
【０００８】
本考案の他の目的は、１つのバッグに袋詰めされた複数ある個々独立の三次元的装飾ステッカーが、一緒になって特定の画像を生じさせるが、知的ゲームとして消費者の溢れ出る判断であらゆる製品あらゆる位置に自主的に取り付けることも可能とした、袋詰めされた三次元的装飾ステッカーのセットを提供することを目的とする。
【課題を解決するための手段】
【０００９】
上記および他の目的を達成するために、本考案に係る袋詰めされた三次元的装飾ステッカーのセットは、主として、ディスプレーラックやレールに掛けるために適応される受入れ空間が形成された詰めバッグと、当該詰めバッグ内に配置され、前面部が接着面の繰り返し着脱可能とした基板と、一緒になって特定の画像を生じさせ、かつ前記基板に沿って詰めバッグ内に位置するように基板の前面部に対し接着剤が設けられた背面側で予め取り付けられている複数の個々の三次元的装飾ステッカーと、を有している。
【００１０】
本考案の好ましい実施形態では、前記基板は、透明で薄いシートである。
【００１１】
本考案の他の実施形態では、前記基板は、三次元的装飾ステッカーの使用についての情報を示すために、背面側に不透明な紙シートがラミネートされ、この不透明な紙シートは、前記基板の大きさに近いサイズを有している。
【００１２】
本考案の実施形態では、三次元的装飾ステッカーは、異なる要素部分をオーバーラップすることにより形成されている。
【００１３】
本考案の他の実施形態では、三次元的装飾ステッカーは、所定の幅を有する複数の長い紙あるいはプラスチック帯をカールさせることにより形成されている。
【００１４】
本考案の他の実施形態では、三次元的装飾ステッカーは、複数の連続的に連結されおよび／または積み重ねられたビーズにより形成されている。
【００１５】
本考案の好ましい実施形態では、三次元的装飾ステッカーは、一緒になって花の画像を形成する。
【００１６】
本考案の他の実施形態では、三次元的装飾ステッカーは、一緒になって女性の個人なアイテムの画像を形成する。
【００１７】
本考案のさらに他の実施形態では、三次元的装飾ステッカーは、一緒になっておとぎ話の画像を形成する。
【考案の効果】
【００１８】
本考案に係る袋詰めされた三次元的装飾ステッカーのセットは、一緒に１つのバッグに袋詰めされた複数ある個々の三次元的装飾ステッカーが、ディスプレーラックやレールに掛けられるとき、特定の画像と立体的視覚効果を生じさせ、消費者を引きつけ、ステッカーの購買意欲を刺激する。
【００１９】
また、三次元的装飾ステッカーのセットは、１つのバッグに袋詰めされた複数ある個々独立の三次元的装飾ステッカーが、一緒になって特定の画像を生じさせるが、知的ゲームとして消費者の溢れ出る判断であらゆる製品あらゆる位置に自主的に取り付けることも可能となる。
【考案を実施するための最良の形態】
【００２０】
以下、本考案の実施形態を、添付図面を参照して説明する。
【００２１】
図１は本考案の第１実施形態に係る袋詰めされた三次元的装飾ステッカーセットの斜視図、図２は図１の分解斜視図、図３は図１の側断面図である。
【００２２】
図示するように、本考案は、１つ以上の三次元的装飾ステッカーを内部に保持する三次元的な受け入れ空間が形成された詰めバッグ２０を有している。詰めバッグ２０は、売るためにディスプレーラックまたはレールに掛けるようにされた透明で薄いプラスチックシートで作られている。
【００２３】
図示の第１実施形態では、詰めバッグ２０は、シールされた上端部２１と、開放された下端部２２と、前記シールされた上端部２１の上部に設けられかつ掛け孔２４が設けられた頂部片２３と、および、開放された下端部２２から下方へ延長されたフラップ２５とを有している。フラップ２５は、内端部に沿って１本の長い帯状の接着剤２５１が設けられており、上方へ折畳まれ、開放された下端部２２で形成された開口部２６を閉じるか、または詰めバッグ２０から三次元的装飾ステッカー９０を取り出すかあるいは内部に設置するために開口部２６を露出させるべく下方へ回動する。
【００２４】
基板３０は、所定のサイズを有し、詰めバッグ２０の受け入れ空間が予め設置されている。この基板３０は、透明で薄いプラスチックシートで作ることが好ましく、種々の三次元的装飾ステッカー９０は、背面側に設けられた接着剤で繰り返し着脱可能な取付け状態となるように、基板３０の前面に取付けられる。また、透明で薄いプラスチックシート製の基板３０は、ディスプレーラックやレールに掛けられる詰めバッグ２０内に垂直状態に置かれると、直立状態となるように充分剛性を有していることが好ましい。
【００２５】
基板３０のサイズと近いサイズの不透明な紙（図示せず）のシートを、基板３０の背面にラミネートしてもよい。使用の注意書き、三次元的装飾ステッカーを使用するにあたり適当な製品または位置、三次元的装飾ステッカーから得られる機能の説明などの情報は、不透明な紙を透明な基板３０にラミネートする前に当該不透明な紙に印刷される。
【００２６】
詰めバッグ２０がディスプレーラックやレールに掛けられたときに、１またはそれ以上の三次元的装飾ステッカー９０が、相互に特殊な立体的視覚効果を生じさせるように、基板３０で前面部に取り付けられる。複数の装飾ステッカー９０には、製造工程で各背面側に接着剤、つまり、両面テープまたは片面テープのいずれかが直接に設けられているので、基板３０の前面に予め固定することができる。
【００２７】
三次元的装飾ステッカー９０は、異なる形に形成されている。例えば、図示の第１実施形態では、詰めバッグ２０に包まれた三次元的装飾ステッカー９０の１つは、図４に示すように、花９３を保持する花瓶９１である。このように異なる要素部分である花９３の茎９２は、花９３と花瓶９１の各背面に上下端部がオーバーラップされている。そして、おしべ９４は、花９３の前面中央に重ねられている。この形成方法では、装飾的なステッカーの全体は、三次元的な花と花瓶を表すことになり、一般的な印刷された形態よりも一層面白さを生じさせることになる。
【００２８】
図５は、三次元的装飾ステッカー９６の他のタイプを示しているが、このステッカー９６は、茎や葉を備えた花であり、所定の幅のカーリング紙やプラスチック帯により形成されている。
【００２９】
図６は、三次元的装飾ステッカー９７のさらに他のタイプを示しているが、このステッカー９７は、連続的に連結された複数のビーズ９８から形成されたパターンを有し、前記パターンの中心に大きなビーズ９９が置かれ、立体的視覚効果を生じさせている。
【００３０】
上記の実施形態では、所定の画像を示すように、複数の個々の三次元的装飾ステッカー９０が基板３０の前面部に予め接着され、そして、販売用のディスプレーラックやレールに掛けるため、基板３０とともに詰めバッグ２０内に設置されている。
【００３１】
図１〜４に示す第１実施形態では、所定の画像を示すように、同じ１つの詰めバッグ２０内に位置された個々の三次元的装飾ステッカー９０が、三次元的花、三次元的花瓶、および三次元的植木鉢という異なるものを有している。
【００３２】
図７は、本考案の他の実施形態を示し、ハイヒールのトップブーツ９０１や、ハンドバッグ９０２などを含む種々の女性アイテムが、詰めバッグ２００内に設置されている。
【００３３】
図８は、本考案のさらに他の実施形態を示し、三次元的装飾ステッカーは、詰めバッグ２０１に包まれた、通常お伽話に現れる人形のコスチューム９０３、かわいい動物９０４、およびバスケット９０５を示している。
【００３４】
複数ある個々独立の三次元的装飾ステッカーが一緒に所定の画像を作るように、ディスプレーラックや店のレールに吊るすため同じ１つの詰めバッグ内に位置されるとき、特殊な立体的視覚が、より多くの消費者を引きつけるために有利に作用する。一方、ユーザは、自分の判断で個々の三次元的装飾ステッカーを使用するため、詰めバッグから取り出すこともできる。例えば、ユーザは、個々の三次元的装飾ステッカーを、プレゼント、カード、あるいは本のカバーに接着してもよく、または知的ゲームとして何か所望の方法で連結してもよい。
【００３５】
本考案は、いくつかの好ましい実施形態を述べたが、添付した実用新案登録請求の範囲のみにより限定される本考案の精神および実用新案登録請求の範囲から逸脱することなく、前述した実施形態の多くの変形と変更が実行され得ると、理解されるべきである。
【図面の簡単な説明】
【００３６】
【図１】本考案の第１実施形態に係る袋に詰められた三次元的装飾ステッカーセットの斜視図である。
【図２】図１の分解斜視図である。
【図３】図１の側断面図である。
【図４】図１の詰めバッグに包まれる三次元的装飾ステッカーの内の１枚の拡大斜視図である。
【図５】本考案に係るバッグの詰物に適している三次元的装飾ステッカーの他の例である。
【図６】本考案に係る袋の詰物に適している三次元的装飾ステッカーのさらに他の例である。
【図７】本考案の第２実施形態に係る袋詰めされた三次元的装飾ステッカーセットを示す図である。
【図８】本考案の第３実施形態に係る袋詰めされた三次元的装飾ステッカーセットを示す図である。
【図９】従来のステッカーの構造を示す平面図である。
【符号の説明】
【００３７】
２０…詰めバッグ、
２１…上端部、
２２…下端部、
２５…フラップ、
２６…開口部、
３０…基板、
９０，９６，９７…三次元的装飾ステッカー、
９１…花瓶、
９２…茎、
９３…花、
９４…おしべ、
９８，９９…ビーズ、
９０１…トップブーツ、
９０２…ハンドバッグ、
９０３…コスチューム、
９０４…かわいい動物、
９０５…バスケット。
【図１】
0003103447.tif 000003
【図２】
0003103447.tif 000004
【図３】
0003103447.tif 000005
【図４】
0003103447.tif 000006
【図５】
0003103447.tif 000007
【図６】
0003103447.tif 000008
【図７】
0003103447.tif 000009
【図８】
0003103447.tif 000010
【図９】
0003103447.tif 000011